(57)【要約】【課題】  本開示は揺動体を備えた人形に関する。【解決手段】  より具体的には、本開示は、支持アセンブリが取付けられてそこから延在する基部と、基部の支持アセンブリの上部に取付けられた頭部と、力が加えられたときに支持アセンブリに対して相対的に動くように可動的に支持アセンブリに取付けられた本体とを含む人形に関する。【選択図】図１
2015217310.tif 000002
【特許請求の範囲】
【請求項１】
揺動体を備えた人形であって、
基部と、
基部から延在する支持アセンブリと、
支持アセンブリに取付けられた頭部と、
支持アセンブリに取付けられた本体とを含み、本体は、前記本体に加えられる力を受けることによって支持アセンブリに対して相対的に動き得る、人形。
【請求項２】
支持アセンブリに回動可能に取付けられた振り子をさらに含み、本体は振り子に取付けられる、請求項１に記載の人形。
【請求項３】
支持アセンブリは前方支持部および後方支持部を含み、振り子が前方支持部と後方支持部との間に回動可能に取付けられる、請求項２に記載の人形。
【請求項４】
振り子は、垂直ロッドと、ロッドの上部から延在し、第１の穴を端部に有する第１のアームと、ロッドの上部から第１のアームとは反対の方向に延在し、第２の穴を端部に有する第２のアームと、ロッドの上部において第１のアームと第２のアームとの間に上部中央穴とを含む、請求項３に記載の人形。
【請求項５】
中央穴は、支持アセンブリ上で回動軸を中心として位置決めされ、振り子は回動軸を中心として回動する、請求項４に記載の人形。
【請求項６】
第１の穴および第２の穴は、振り子が前後に揺れ動くとき本体を適所に保持する、請求項５に記載の人形。
【請求項７】
振り子は磁石を含む、請求項３に記載の人形。
【請求項８】
基部内であって振り子の磁石の近傍に磁気コイルをさらに含む、請求項７に記載の人形。
【請求項９】
振り子を動かす力を生じさせるように磁気コイルの極性を変えるためのコントローラをさらに含む、請求項８に記載の人形。
【請求項１０】
コントローラは、繰り返し選択的に増加させつつ電流を磁気コイルに供給するようにプログラムされ、電流は、振り子の磁石を引寄せるかまたははね返すように磁気コイルの極性を調整する、請求項９に記載の人形。
【請求項１１】
振り子が動く速度を使用者が調整するための制御部をさらに含む、請求項９に記載の人形。
【請求項１２】
基部はスロットを含み、振り子の端部はスロットを通って基部内に延在する、請求項１０に記載の人形。
【請求項１３】
前記制御部は基部の側壁に配置されたスイッチであり、スイッチは磁気コイルを通る電流の大きさおよび期間を制御することにより、使用者が振り子の揺動する速度を調整することを可能にする、請求項１１に記載の人形。
【請求項１４】
本体は、支持アセンブリの回動構成要素を中心として回動する、請求項１に記載の人形。
【請求項１５】
本体は、中空の内部を形成する前方ケーシングおよび後方ケーシングを含む、請求項１に記載の人形。
【請求項１６】
本体の少なくとも一部が、基部における開口部を通って延在する、請求項１に記載の人形。
【請求項１７】
頭部は本体から独立して動く、請求項１に記載の人形。
【請求項１８】
頭部は、ばねによって支持アセンブリに取付けられる、請求項１７に記載の人形。
【発明の詳細な説明】
【技術分野】
【０００１】
発明の詳細な説明
背景
関連出願
本願は、２０１４年５月１５日に提出された米国仮出願連続番号第６１／９９３，７１２号の優先権の利益を主張するものであって、その開示全体が引用によりこの明細書中に明確に援用されている。
【０００２】
発明の分野
本開示は、揺動体を備えた人形に関する。より特定的には、本開示は、頭部および本体に対して相対的に動く本体ケーシングを備えた人形に関する。
【背景技術】
【０００３】
関連技術
アクションフィギュア、人形、小像、および他のこのような玩具または像は、消費者によって購入され、コレクションとして収集されていることが多い。しばしば、自身の部屋、オフィス、小個室およびデスクなどを自身のお気に入りのキャラクター（たとえばテレビ、映画、ビデオゲームなど）の人形で飾る人々がいる。このような人形は静止したものであり得るか、または、たとえば、人形の頭部が人形の本体に対して相対的に動き得る動的なものであり得る。１つのこのような人形として首ふり人形が知られている。別の人形として、ナショナル・エンターテインメント・コレクティブルズ・アソシエーション（National Entertainment Collectibles Association: NECA）によって販売されている首振り人形がある。頭部の動きは、見る人の注意を引き、見て楽しめるものである。
【０００４】
所望され得るものとして、揺動体付きの人形が挙げられるが、これはまだ開発されていない。より具体的には、所望され得るものとして、人形の頭部に対して相対的に動く本体を備えた人形が挙げられる。
【発明の概要】
【課題を解決するための手段】
【０００５】
概要
本開示は、人形に対して相対的に動き得る本体を備えた人形に関する。より具体的には、本開示は揺動体を備えた人形に関する。揺動体を備えた人形は、基部と、基部の上部に取付けられた支持アセンブリと、支持アセンブリに取付けられた頭部と、支持構造に回動可能に取付けられた振り子と、振り子に取付けられた本体とを備える。振り子は、回動点を中心として揺動体を前後に動かすために揺動体（および／または振り子）に加えられた力（たとえば磁力）を受けることによって動かすことができる。
【０００６】
図面の簡単な説明
開示された上述の特徴は、添付の図面に関連付けて読まれる以下の詳細な説明から明らかになるだろう
【図面の簡単な説明】
【０００７】
【図１】揺動体を備えた人形の斜視図である。
【図２】位置Ａから位置Ｂ、さらに位置Ｃへの人形の揺動体の動きを示す正面図である。
【図３】磁気コイルと共に用いられる人形の支持アセンブリの振り子の動きを示す図である。
【図４】磁気コイルと共に用いられる人形の支持アセンブリの振り子の動きを示す図である。
【図５】磁気コイルと共に用いられる人形の支持アセンブリの振り子の動きを示す図である。
【図６】支持アセンブリの分解斜視図である。
【図７】支持アセンブリの部分組立図である。
【図８】基部に取付けられた支持アセンブリの側面図である。
【図９】基部に取付けられた支持アセンブリの背面図である。
【図１０】基部に取付けられた支持アセンブリと、部分的に組立てられた揺動体と、頭部とを示す背面図である。
【図１１】組立てられた揺動体と、その隣に配置された頭部とを示す上面図である。
【図１２】揺動体を備えた人形を完全に組立てられた状態で示す正面図である。
【図１３】揺動体を備えた人形を完全に組立てられた状態で示す背面図である。
【図１４】人形の上方部分を示す拡大斜視図である。
【図１５】人形の下方部分を示す拡大側面図である。
【図１６】人形の基部をカバーが取外された状態で示す底面図である。
【図１７】人形の基部をカバーが取付けられた状態で示す底面図である。
【図１８】揺動体を備えた人形の別の実施形態を示す斜視図である。
【図１９】図１８の実施形態を示す別の斜視図である。
【発明を実施するための形態】
【０００８】
詳細な説明
本開示は、以下に説明される揺動体を備えた人形に関する。
【０００９】
図１は、揺動体１６を備えた人形１０の斜視図である。人形１０は基部１２を含む。基部１２には支持アセンブリ１４が取付けられており、当該支持アセンブリ１４は基部１２から延在している。支持アセンブリ１４の上部には人形１０の頭部１８が取付けられる。人形１０の頭部１８は、静止していてもよく、または、動的であってもよい（たとえば、頭部１８は揺動体１６から独立して動いてもよい）。たとえば、頭部１８は、ばねなどの如何なる可動式取付け機構によって支持アセンブリ１４に取付けられてもよい（たとえば首ふり人形）。揺動体１６は、如何なる好適な取付け装置によって支持アセンブリ１４に取付けられてもよく、如何なるタイプの動き（たとえば揺動、回転、垂直方向振動など）がもたらされてもよく、または全く動きがなくてもよい。たとえば、本体１６は単純な回動軸によって取付けられてもよく（たとえば、この場合、本体１６は、如何なる方向にも可動となるようにスタンドの或る一点上に中空の球体を搭載していてもよく）、または、他のいずれかのタイプの回動軸によって取付けられてもよい。動きをもたらすために、如何なる種類の力、たとえば機械的な（たとえば、ばね仕掛けによる、人が押したり引いたりすることによる）力、電子的な力、磁気による力などが用いられてもよい。
【００１０】
揺動体１６は支持アセンブリ１４の振り子に固定される。本体１６は、振り子および支持アセンブリ１４のまわりに延在するように構成することができ、これにより、支持アセンブリ１４の底部分がケーシングアセンブリ１６の底部開口部２０を通って突き出し、かつ、支持アセンブリ１４の上部分がケーシングアセンブリ１６の上部開口部２２を通って突き出るようにし得る。揺動体１６は、（たとえば揺動体１６が停止しているときに）位置Ａから位置Ｂおよび位置Ｃへと動く（たとえば回動したり前後に揺れ動いたりする）ことができる。上部開口部２２および底部開口部２０は、揺動体１６が（支持アセンブリ１４にぶつかることなく）前後に回転できるようにするための空間をもたらすものであって、如何なる好適な形状または大きさであってもよい。構成要素の材料は、プラスチック（たとえば、ビニル）、金属、ガラスなどの如何なる好適な材料を含んでもよく、如何なる好適な工程（たとえば射出成形）で製造されてもよい。揺動体１６は３次元の人形として示されているが、本体１６は２次元であってもよい。
【００１１】
図２は、人形１０の揺動体１６の動きを示す正面図である。図示（および上述）のように、人形１０は、基部１２と、基部１２に取付けられて基部１２から延在する支持アセンブリ１４と、支持アセンブリ１４の上部に取付けられた頭部１８と、支持アセンブリ１４に取付けられた揺動体１６とを含む。揺動体１６は、回動構成要素６３を中心として（たとえば、位置Ａから位置Ｂ、さらに位置Ｃへと向かい、そして位置Ｃから位置Ｂ、さらに位置Ａへと戻るように）回転する。使用され得る揺動体１６の形状または構成（たとえば、揺動体１６の脚部間の空いた区域）の数はいくつであってもよい。
【００１２】
図３〜図５は、磁気コイル１９６と共に用いられる人形の支持アセンブリ１１４の振り子１５０の動きを示す図である（その構成要素を以下により詳細に説明する）。支持アセンブリ１１４は、後方支持部（図示せず）に取付けられた前方支持部１３０と、それらの間に、回動構成要素１６３によって固定された（たとえば下方端部におもりを備えた）振り子１５０とを含む。振り子１５０のアームの上方部分は、回動構成要素１６３に取付けられて、回動構成要素１６３を中心として動く。振り子１５０の加重された底部分は磁石１６０を含む。磁石１６０の強度、極性および重量は、特定の人形のサイズ、重量および特徴に応じて異なっていてもよい（たとえば、磁石１６０の重量は、振り子１５０が前後に揺れ動く速度に影響を及ぼし得る）。
【００１３】
磁気コイル１９６は、コントローラ１９７（たとえばプリント回路基板）と電気通信して作動させられる。コントローラ１９７は、バッテリ１９８または他の電源と電気通信して電力供給される。コントローラ１９７は、繰り返し選択的に増加させつつ（たとえば特定の繰り返し可能な期間にわたって）磁気コイル１９６に電流を供給するようにプログラムされてもよい。磁気コイル１９６に電流を供給することにより、磁気コイル１９６の極性が調整される。この調整により、磁気コイル１９６が振り子１５０の磁石１６０を引寄せるかまたははね返し、これにより、振り子１５０を移動させて前後に動くようにする。電流の期間および／もしくは強度（たとえば極性の強度）は、製造業者によってデフォルトとして提供される設定であってもよく、ならびに／または、（たとえば人形の揺動体が揺れ動く速度を調整するために）使用者が人形を制御することによって調整されてもよい。
【００１４】
図３は、磁気コイル１９６が中立極性を有する（たとえば、電流がない）場合における、停止状態の振り子１５０を示す正面図である。図４は、位置Ａにある振り子１５０を示し、位置Ｂにある振り子１５０を破線で示す正面図である。電流は、コントローラ１９７によって逆流させてもよく、ならびに／または、電流は（たとえば周期的に）活性化および終了させてもよい。このようにして、コントローラ１９７は、磁気コイル１９６の極性を変えて、および／または、磁気コイル１９６を磁化／消磁して、振り子１５０の磁石１６０と相互に作用する磁力を与えることにより、磁石１６０を（たとえば位置Ａと位置Ｂとの間で）引寄せるおよび／またははね返す。図５は、図４の位置Ａにある振り子１５０を示す斜視図である。しかしながら、磁石はオプションであり、代わりに、振り子１５０が単に使用者からの外力を受ける（たとえば、押される）ことによって前後に揺動してもよい。
【００１５】
図６は、支持アセンブリ１１４の分解斜視図である。支持アセンブリ１１４は、前方支持部１３０、後方支持部１４０、振り子１５０、回動構成要素１６３、前方テンションクリップ１６１（たとえば、開放リング）、および後方テンションクリップ１６２（たとえば、開放リング）を含む。
【００１６】
前方支持部１３０は、下方柱１３３に接続された上方ケーシング１３２を含む。下方柱１３３の底部に前方脚部１３４を備える。上方ケーシング１３２は内部の範囲を規定し、（以下により詳細に説明される）上方ケーシング１３２の２つの側部の各々に側方開口部１３８を含む。上方ケーシングはさらに円形突起１３５を含む。円形突起１３５は、これに取付けられる前方テンションクリップ１６１の形状に合致する。後方支持部１４０は、下方柱１４３に接続された上方ケーシング１４２と、下方柱１４３の底部に前方脚部１４４とを含む。上方ケーシング１４２は、内部の範囲を規定し、（以下により詳細に説明される）上方ケーシング１４２の２つの側部の各々に側方開口部１４８を含む。上方ケーシング１４２はさらに円形突起（図示せず）を含む。円形突起は、それに取付けられる後方テンションクリップ１６２の形状に合致する。
【００１７】
回動要素１６３はシリンダ１６４（たとえばプラスチック）であってもよく、シリンダ１６４の各端部からピン１６５（たとえば金属）が突き出ている。回動要素１６３のピン１６５の端部は、前方支持部１３０の上方ケーシング１３２における突起１３５の内面と、後方支持部１４０の上方ケーシング１４２における突起１４５の内面とに装着される。
【００１８】
振り子１５０は如何なる好適な形状（たとえば、Ｔ字形）であってもよい。振り子は垂直ロッド１５１を有し得る。垂直ロッド１５１は、ロッド１５１の上部から（たとえば直角に）延在する第１のアーム１５２と、ロッド１５１の上部から第１のアーム１５２とは反対方向に（たとえば直角に）延在する第２のアーム１５３とを備える。ロッド１５１の上部には、第１のアーム１５２と第２のアーム１５３との間に上部中央穴１５４が設けられている。組立ての際、上部中央穴１５４は回動要素１６３のまわりに位置決めされ、これにより、振り子１５０が回動要素１６３を中心として回転することが可能となる。第１のアーム１５２および第２のアーム１５３の各々の端部には、それぞれ、第１の穴１５５および第２の穴１５６が設けられている。第１の穴１５５および第２の穴１５６は、振り子１５０が前後に揺れ動くときに揺動体を適所に保持する。さらに、ロッド１５１の底部は底受け部１５８を含む。底受け部１５８は、上述のとおり、磁石１６０を収容して保持する。但し、揺動体を振り子に（たとえば、スナップ嵌めで）接続するために、および／または、磁石１６０を振り子１５０に（たとえば接着剤で）接続するために、如何なる種類の取付け具が用いられてもよい。
【００１９】
図７は、支持アセンブリ１１４の部分組立図である。上述のとおり、支持アセンブリ１１４は、振り子１５０、前方支持部１３０および後方支持部１４０、ならびに、回動構成要素１６３を含む。前方支持部１３０は、上方ケーシング１３２、下方柱１３３および側方開口部１３８を含む。後方支持部１４０は、上方ケーシング１４２、下方柱１４３、および側方開口部１４８を含む。振り子１５０は、垂直ロッド１５１、第１のアーム１５２、第２のアーム１５３、第１の穴１５５、第２の穴１５６、および中央穴１５４を含む。
【００２０】
前方支持部１３０における上方ケーシング１３２の内部は、１つ以上の前方ポスト１３６および１つ以上の前方アパーチャ１３７を含む。後方支持部１４０における上方ケーシング１４２の内部はまた、１つ以上の後方ポスト１４６および１つ以上の後方アパーチャ１４７を含む。前方支持部１３０の上方ケーシング１３２における前方ポスト１３６と後方支持部１４０の上方ケーシング１４２における後方アパーチャ１４７とが互いに相互作用して（たとえば、前方支持部１３０の前方ポスト１３６が後方支持部１４０の後方アパーチャ１４７に収容されて）、前方支持部１３０が後方支持部１４０と連結される。同様にして、後方支持部１４０の上方ケーシング１４２における後方ポスト１４６と前方支持部１３０の上方ケーシング１３２における前方アパーチャ１３７とが互いに相互作用して（たとえば、後方支持部１４０の後方ポスト１４６が前方支持部１３０の前方アパーチャ１３７に差込まれ、そこに収容されて）、前方支持部１３０が後方支持部１４０と連結される。さらに、前方支持部１３０および後方支持部１４０の両方（またはいずれか）におけるアパーチャは貫通穴であってもよく、これにより、ねじ（または他の取付け装置）を前方支持部１３０および後方支持部１４０のポストにある内孔に差込むことが可能となる。これにより、支持部１３０と１４０とが互いに固定される。たとえば、ねじは、後方支持部１４０の後方アパーチャ１４７を通じて前方支持部１３０の前方ポスト１３６の内孔に挿入されてもよい。
【００２１】
図８〜図９は、それぞれ、基部１１２に取付けられた支持アセンブリ１１４の側面図および背面図である。支持アセンブリ１１４における前方支持部１３０の側方開口部１３８および後方支持部１４０の側方開口部１４８はともに両側に開口部を形成する。これにより、振り子１５０の第１のアーム１５２および第２のアーム１５３が、それぞれ、前方支持部１３０の上方ケーシング１３２および後方支持部１４０の上方ケーシング１４２から突き出ることを可能にする。以下に説明されるように、揺動体はこのようにして振り子１５０に取付けることができる。前方支持部１３０および後方支持部１４０によって形成される側方開口部により、振り子１５０が回転するときにアーム１５２および１５３が上下に垂直に動けるようにするのに十分な空間が与えられる。さらに、振り子１５０は、前方支持部１３０の下方柱１３３と後方支持部１４０の下方柱１４３との間に、その間で自由に回転できるように、十分な空間を有する。付加的には、前方ケーシング１３０の中心ポスト１３５および後方ケーシング１４０の中心ポスト１４５は、それぞれ、前方開放リング１６１および後方開放リング１６２に適合し、これらリング１６１および１６２を収容する。
【００２２】
基部１１２は上部１８０と側壁１８２とを含む。側壁１８２からはスイッチ１９２が突き出ている。基部１１２の上部１８０は、前方凹部１８８と、後方凹部１８９と、これら凹部の間にスイベルスロット１９０とを規定する。側壁１８２は円形として図示されているが、如何なる形状（例えば、長方形、正方形など）であってもよい。電源スイッチ１９２は側壁１８２に配置されて、使用者が振り子１５０の自動操作を制御することを可能にする。スイッチ１９２は側方に動くもの（たとえばトグルスイッチ）として示されているが、如何なる種類のスイッチ（たとえば押しボタン）が用いられてもよい。
【００２３】
前方凹部１８８は、（たとえば、前方脚部１３４の上部が基部１１２の上部１８０と同一平面上にあるように）前方支持部１３０の前方脚部１３４に適合しこれを収容するような大きさおよび形状にされている。後方凹部１８９は、（たとえば、後方脚部１４４の上部が基部１１２の上部１８０と同一平面上にあるように）後方支持部１４０の後方脚部１４４に適合しこれを収容するような大きさおよび形状にされている。結果として、前方脚部１３４および後方脚部１４４は、それぞれ、前方凹部１８８および後方凹部１８９に収まり、これら凹部１８８および１８９によって支持される。
【００２４】
基部１１２の上部１８０はさらに、上部１８０を通って基部１１２の内部に延在するスイベルスロット１９０を前方凹部１８８と後方凹部１８９との間に規定する。結果として、磁石（図示せず）を保持する振り子１５０の底部が、スイベルスロット１９０を通って基部１１２の上部１８０の下へと延在する。これにより、磁石が、ハウジング内に保持された磁気コイルと相互に作用することが可能となる（以下により詳細に説明される）。さらに、スイベルスロット１９０は、前方凹部１８８および後方凹部１８９よりも幅広であってもよく、これにより、振り子１５０が回転するのに十分な空間がもたらされる。
【００２５】
図１０は、基部１１２に取付けられた支持アセンブリ１４０と、部分的に組立てられた揺動体１６と、頭部１１８とを示す背面図である。揺動体１６は、前方ケーシング１６６および後方ケーシング１７２を含む。これらケーシングがともに中空の内部を形成する。前方ケーシング１６６には、その内部から延在する１つ以上のポスト１６８が備わっている。ポスト１６８は、振り子１５０の第１の穴１５５および第２の穴１５６を通じて挿入可能である。後方ケーシング１７２には、その内部から延在する１つ以上のスリーブ１７４が備わっている。前方ケーシング１６６のポスト１６８が後方ケーシング１７２のスリーブ１７４と相互作用し、当該スリーブ１７４に収容されることにより、前方ケーシング１６６と後方ケーシング１７２とが互いに連結されて固定される。ねじ、または他の如何なる取付け手段も、後方ケーシング１７２のスリーブ１７４を通って延在して、（たとえばポスト１６８内の穴に通すことによって）前方ケーシング１６６のポスト１６８に係合し得る。結果として、前方ケーシング１６６および後方ケーシング１７２が振り子１５０に固定され、これにより、振り子１５０が回転（たとえば揺動、回動など）したときに、前方ケーシング１６６および後方ケーシング１７２も回転する。他の形状の取付け具を用いて、ケーシング１６６とケーシング１７２とを互いに（たとえば、スナップ嵌めで）固定してもよく、ならびに／または、ケーシング１６６および１７２を振り子１５０に固定してもよい。
【００２６】
図１１は、組立てられた揺動体と、その隣に配置された頭部とを示す上面図である。頭部１１８はポスト１７６を備える。ポスト１７６は、その内部に凹部１７７と、そこから外方向に延在する側方突起とを含む。凹部１７７は、後方支持部１４０のペグ１４９を収容し、これにより、頭部１１８をそこに固定する。凹部１７７およびペグ１４９は各々、長方形のものとして図示されているが、互いに嵌め合わされてもよく、これにより、実現可能な取付け方向を一方向だけにすることができる（たとえば、各々、台形とする）。頭部１１８の目（図示せず）はスプレーで描かれてもよく、および／または、頭部１１８に嵌めこまれ得る別個の目部材であってもよい。
【００２７】
揺動体１１６の前方ケーシング１６６および後方ケーシング１７２が上部開口部１２２を形成する。上部開口部１２２は、（たとえば、人形の上部開口部１２２の内周部がその回転時に後方支持部１４０のペグ１４９または頭部１１８のポスト１７６に当たることなく）揺動体ケーシング１１６が回転するのに十分な空間を与えることができるほど十分に大きい（たとえば、十分に幅広い）。
【００２８】
図１２および図１３は、それぞれ、揺動体１１６を備えた人形１０を完全に組立てられた状態で示す正面図および背面図である。上述のとおり、人形１０は、スイッチ１９２を備えた基部１１２と、揺動体１１６と、頭部１１８とを含む。揺動体１１６は、前方ケーシング１６６および後方ケーシング１７２を含む。図示のとおり、後方ケーシング１７２のスリーブ１７４はその中にねじを収容することができ、当該ねじは、（上述された）前方ケーシング１６６のポストに係合する（たとえば、通される）。プラグ（たとえば成型されたプラグ）を挿入してねじを覆い、シームレスな表面を形成してもよい。頭部１１８とともに、前方ケーシング１６６および後方ケーシング１７２の外面には、キャラクター（たとえば映画、テレビ、ビデオゲーム）または他の画像が視覚的に描かれている。
【００２９】
図１４は、人形１０の上方部分の拡大斜視図である。揺動体１１６の前方ケーシング１６６および後方ケーシング１７２はともに、上部開口部１２２の近傍においてケーシング１６６および１７２の上方端縁に側方スロット１２６を形成することができる。揺動体１１６が回転すると、これらの側方スロット１２６が支持アセンブリ１１４のために隙間をもたらす。しかしながら、このような側方スロット１２６は上部開口部１２２のサイズによっては不要となる可能性がある。
【００３０】
図１５は、人形１０の下方部分の拡大側面図である。基部１１２は、側壁１８２と、そこに配置されたスイッチ１９２とを含む。スイッチ１９２は、基部１１２の側壁１８２にあるスロット１９３に沿って直線的に移動する。スイッチ１９２は、２つの位置（たとえば、オンおよびオフ）だけをとってもよく、または、スロットに沿って複数の位置をとってもよい（たとえば運転モード）。如何なるタイプの動作特徴（たとえばタイマ、揺動の速度など）を制御するために、制御部をいくつ用いてもよいし、如何なるタイプの制御部（たとえば押しボタン）を用いてもよい。基部１１２の上部１８０と揺動体１１６の底部との間に如何なる好適な隙間を用いてもよい。
【００３１】
図１６は、人形１１０の基部１１２をカバー１８４が取外された状態で示す底面図である。基部１１２は、さまざまな構成要素を収容する内側部分１８６を含む。さまざまな構成要素として、磁気コイル１９６およびコントローラ１９７が含まれ、各々が、内側部分１８６の内面に装着されている。カバー１８４の内側には、バッテリコンパートメント１９８が装着されている。カバー１８４は、如何なる取付け装置（たとえばねじ）によって基部１１２に固定されてもよい。
【００３２】
図１７は、人形１１０の基部１１２をカバー１８４が取付けられた状態で示す底面図である。複数の脚部１９４が、カバー１８４の外側から延在しており、いくつ設けられてもよく、および／または、如何なる位置にあってもよい。カバー１８４はまた、（基部１１２の内部ではなく）バッテリコンパートメントだけにアクセスできるようにするためのバッテリカバー１９５を含む。バッテリカバー１９５は、如何なるタイプの取付け装置（たとえばねじ）によって適所に固定されてもよい。
【００３３】
図１８および図１９は、揺動体２１６を備えた人形２１０の別の実施形態を示す図である。ここで、揺動体２１６は、脚部の形をしているが、他の如何なる外観を呈していてもよい。より具体的には、図１８は、揺動体２１６を備えた人形２１０の斜視図である。人形２１０は、他に規定のない限り、図１〜図１７に示されるように機能および動作する。人形２１０は基部２１２を含み、基部２１２は、基部２１２に取付けられてそこから延在する支持アセンブリ２１４（たとえば外側ポスト）と、スロット２９０とを備える。支持アセンブリ２１４は、揺動体２１６の外側に図示されているが、揺動体２１６内にあってもよい。支持アセンブリ２１４の上部には、静止型または動的であり得る上部分２１８（たとえばランプシェード）が取付けられている。揺動体２１６（たとえば脚部）は、相対的な動きを可能にする回動軸２６３などの接続部によって支持アセンブリ２１４に取付けられている。この接続部は、揺動体２１６が支持アセンブリ２１４に対して相対的に運動または回動することを可能にする。そのため、揺動体は振り子を含む。人形２１０を上述のとおりに動かすことができる。
【００３４】
図１９は図１８の実施形態の別の斜視図である。図示のとおり、上部分は、人形２１０の支持アセンブリ２１４に取付けられる。より具体的には、上部分２１８はポスト１７６を含み、ポスト１７６はその内部に凹部１７７を有する。支持アセンブリ２１４の上部は凹部１７７に挿入され、そこに固定される。
【００３５】
このようにシステムおよび方法を詳細に説明してきたが、上述の説明がその精神または範囲を限定するように意図されるものではないことが理解されるべきである。この明細書中に記載される本開示の実施形態が単に例示的なものであり、当業者が開示の精神および範囲から逸脱することなく如何なる変更および変形をもなし得ることが理解されるだろう。上述されたものを含むこのような変形および変更はすべて、開示の範囲内に含まれるように意図されている。
【符号の説明】
【００３６】
１０  人形、１２  基部、１４  支持アセンブリ、１６  揺動体、１８  頭部。
【図１】
2015217310.tif 000003
【図２】
2015217310.tif 000004
【図３】
2015217310.tif 000005
【図４】
2015217310.tif 000006
【図５】
2015217310.tif 000007
【図６】
2015217310.tif 000008
【図７】
2015217310.tif 000009
【図８】
2015217310.tif 000010
【図９】
2015217310.tif 000011
【図１０】
2015217310.tif 000012
【図１１】
2015217310.tif 000013
【図１２】
2015217310.tif 000014
【図１３】
2015217310.tif 000015
【図１４】
2015217310.tif 000016
【図１５】
2015217310.tif 000017
【図１６】
2015217310.tif 000018
【図１７】
2015217310.tif 000019
【図１８】
2015217310.tif 000020
【図１９】
2015217310.tif 000021
【外国語明細書】
2015217310000001.pdf